(57)【要約】  【課題】  電源供給端子毎に直流電源の接続／切断のタイミング、直流電源を切断する過電流の設定および実行が可能で、電流値／電圧値の表示および過電流の通報ができる端子台ユニットを提供する。  【解決手段】  直流電源装置ＰSを接続する入力端子Ｉ１，Ｉ２、直流電源装置ＰSから供給される直流電圧ＶDを分岐して負荷Ｌ１〜負荷ｎに、それぞれ直流電圧ＶDおよび負荷電流ＩL1〜ＩLnを供給する出力端子Ａ１，Ｂ１〜Ａｎ，Ｂｎ、複数の負荷（負荷Ｌ１〜負荷ｌｎ）に供給する直流電源（直流電圧ＶD）の接続／切断のタイミング、切断電流値を制御するとともに、電流値／電圧値の表示および過電流の通報を制御する端子台制御手段２を備える。【選択図】  図１
2005295791.tif 000002
【特許請求の範囲】
【請求項１】
電源装置から供給される直流電源を収容し、複数の負荷に分配して供給する端子台ユニットであって、
電源供給端子毎に前記複数の負荷に供給する直流電源の接続／切断のタイミング、切断電流値を制御するとともに、電流値／電圧値の表示、過電流および異常電圧の通報を制御する端子台制御手段を備えたことを特徴とする端子台ユニット。
【請求項２】
前記端子台制御手段は、電源接続／切断のタイミングを決定するシーケンス手段、電流を検出する電流検出手段、端子電圧を検出する電圧検出手段、前記直流電源の接続／切断を実行するスイッチング手段、電流値／電圧値を表示する表示手段、過電流および異常電圧の通報を行う通報手段、ユニットの全体動作を制御する制御手段を備えたことを特徴とする請求項１記載の端子台ユニット。
【請求項３】
前記端子台制御手段は、電源接続／切断のタイミング、過電流値を設定または変更する設定手段を備えたことを特徴とする請求項２記載の端子台ユニット。
【請求項４】
前記端子台制御手段は、通報を開始する過電流値および前記スイッチング手段を切断する過電流値の過電流データを記憶するとともに、電源接続／切断のシーケンスデータを記憶する記憶手段を備えたことを特徴とする請求項２記載の端子台ユニット。
【請求項５】
前記制御手段は、前記電流検出手段が過電流を検出しても、検出した過電流値と継続時間に基づいて過電流の通報および電源切断を実行しないように制御することを特徴とする請求項２記載の端子台ユニット。
【請求項６】
電源装置から供給される直流電源を収容し、複数の負荷に分配して供給する端子台ユニットの制御方法であって、
直流電源を設定したタイミングで接続するステップＳ１と、
電流値および電圧値を表示するステップＳ２と、
電流値が第１設定値を越えたか否かを判定するステップＳ３と、
第１設定値を越えた場合に、過電流の通報を実行するステップＳ４と、
電流値が第２設定値を越えたか否かを判定するステップＳ５と、
第２設定値を越えた場合に、電源を切断するステップＳ６と、
を備えたことを特徴とする端子台ユニットの制御方法。
【請求項７】
電源装置と接続し、この電源装置からの電力を複数の負荷に分配供給するための複数の電源供給端子を備えた端子台ユニットであって、
前記電源供給端子毎に設け、前記電源装置及び電源供給端子間の電流を検出する電流検出手段と、
前記電源供給端子毎に設け、前記電源装置及び電源供給端子間の接続を切断するスイッチ手段と、
前記電流検出手段にて検出した現在の電流値に基づき、電流情報に関わる通報信号を出力すると共に、前記スイッチ手段の接続切断動作を実行すべく、前記スイッチ手段を制御する制御手段とを有することを特徴とする端子台ユニット。
【請求項８】
過電流発生と判断するための第１電流値及び、前記スイッチ手段の接続切断動作を起動するための第２電流値を記憶する記憶手段を有し、
前記制御手段は、
前記電流検出手段にて検出した現在の電流値が前記第１電流値を超えたか否かを判定する第１電流値判定手段と、
前記電流検出手段にて検出した現在の電流値が前記第２電流値を超えたか否かを判定する第２電流値判定手段と、
前記第１電流値判定手段にて前記電流値が前記第１電流値を超えたと判定されると、過電流発生に関わる電流情報の通報信号を出力する通報出力手段と、
前記第２電流値判定手段にて前記電流値が前記第２電流値を超えたと判定されると、前記スイッチ手段の接続切断動作を実行すべく、前記スイッチ手段を制御するスイッチ制御手段とを有することを特徴とする請求項７記載の端子台ユニット。
【請求項９】
前記通報出力手段は、
前記第１電流値判定手段にて前記電流値が前記第１電流値を所定継続時間以上継続して超えたと判定されると、前記過電流発生に関わる電流情報の通報信号を出力すると共に、
前記第１電流値判定手段にて前記電流値が前記第１電流値を前記所定継続時間以上継続して超えてないと判定されると、前記通報信号の出力を禁止すると共に、
前記スイッチ制御手段は、
前記第２電流値判定手段にて前記電流値が前記第２電流値を前記所定継続時間以上継続して超えたと判定されると、前記スイッチ手段の接続切断動作を実行すべく、前記スイッチ手段を制御すると共に、
前記第２電流値判定手段にて前記電流値が前記第２電流値を前記所定継続時間以上継続して超えていないと判定されると、前記スイッチ手段の接続切断動作を禁止すべく、前記スイッチ手段を制御することを特徴とする請求項８記載の端子台ユニット。
【請求項１０】
前記スイッチ手段の後段に配置され、前記電源装置及び電源供給端子間の接続を切断するサブスイッチ手段と、
前記第２電流値以上の電流値に相当する第３電流値を記憶するサブ記憶手段と、
前記電源装置及び電源供給端子間の現在の電流値が前記第３電流値を超えたか否かを判定する第３電流値判定手段と、
この第３電流値判定手段にて前記電流値が前記第３電流値を超えたと判定されると、前記サブスイッチ手段の接続切断動作を実行すべく、前記サブスイッチ手段を制御するサブ制御手段とを有することを特徴とする請求項８又は９記載の端子台ユニット。
【請求項１１】
所定の積算稼働時間に相当する第１積算稼働時間を記憶する前記記憶手段と、
現在の積算稼動時間を監視する積算稼働時間監視手段と、
前記積算稼動時間監視手段にて現在の積算稼動時間が前記第１積算稼動時間を超えたか否かを判定する積算稼働時間判定手段とを有し、
前記通報出力手段は、
前記積算稼働時間判定手段にて現在の積算稼働時間が前記第１積算稼働時間を超えたと判定されると、前記積算稼働時間に関わる情報の通報信号を出力することを特徴とする請求項８，９又は１０記載の端子台ユニット。
【請求項１２】
所定の周囲温度に相当する第１周囲温度を記憶する前記記憶手段と、
現在の周囲温度を検出する周囲温度検出手段と、
前記周囲温度検出手段にて現在の周囲温度が前記第１周囲温度を超えたか否かを判定する周囲温度判定手段とを有し、
前記通報出力手段は、
前記周囲温度判定手段にて現在の周囲温度が前記第１周囲温度を超えたと判定されると、前記周囲温度に関わる情報の通報信号を出力することを特徴とする請求項８，９，１０又は１１記載の端子台ユニット。
【請求項１３】
過電圧発生と判断するための第１電圧値及び、前記スイッチ手段の接続切断動作を起動するための第２電圧値を記憶する前記記憶手段と、
前記電源供給端子毎に設け、前記電源装置及び電源供給端子間の電圧を検出する電圧検出手段と、
前記電圧検出手段にて検出した現在の電圧値が前記第１電圧値を超えたか否かを判定する第１電圧値判定手段と、
前記電圧検出手段にて検出した現在の電圧値が前記第２電圧値を超えたか否かを判定する第２電圧値判定手段とを有し、
前記通報出力手段は、
前記第１電圧値判定手段にて現在の電圧値が前記第１電圧値を超えたと判定されると、前記過電圧発生に関わる電圧情報の通報信号を出力すると共に、
前記スイッチ制御手段は、
前記第２電圧値判定手段にて現在の電圧値が前記第２電圧値を超えたと判定されると、前記スイッチ手段の接続切断動作を実行すべく、前記スイッチ手段を制御することを特徴とする請求項８，９，１０，１１又は１２記載の端子台ユニット。
【請求項１４】
前記記憶手段の記憶内容を設定変更する設定変更手段を有することを特徴とする請求項８，９，１０，１１，１２又は１３記載の端子台ユニット。
【請求項１５】
前記電流検出手段にて検出した電流値に基づき、現在の電流値、所定時間単位の電流平均値、ピーク電流値及び低電流値を表示手段に表示出力する電流値出力手段を有することを特徴とする請求項７，８，９，１０，１１，１２，１３又は１４記載の端子台ユニット。
【発明の詳細な説明】
【技術分野】
【０００１】
本発明は電源装置から供給される直流電源を収容し、複数の負荷に分配して供給する端子台ユニットに係り、特に、電源供給端子毎に直流電源の接続／切断のタイミング、直流電源を切断する過電流の設定および実行が可能で、電流値／電圧値の表示および過電流の通報ができる端子台ユニット及びその制御方法に関する。
【背景技術】
【０００２】
従来の端子台ユニットは、本出願人が「特許文献１」（出力分岐装置）に開示したように、電源装置からの直流電源入力を複数に分岐して複数の負荷に出力するに際して、分岐した出力ラインに対応して出力ラインを遮断する遮断手段を備え、過電流の流れた出力ラインのみを遮断できるように構成されている。
【０００３】
これにより、各出力ラインにブレーカを設ける必要がなく、煩雑な接続作業を必要とせず、ブレーカを設置するスペースも必要としないものである。
【特許文献１】特開２００２−２５２９２３号公報
【発明の開示】
【発明が解決しようとする課題】
【０００４】
「特許文献１」に開示された従来の端子台ユニットは、出力ライン毎に遮断手段が動作する過電流が設定されているので、負荷に対応した過電流の遮断ユニットを選定して設置しなければならず、多くの遮断ユニットを準備しなければならない課題がある。
【０００５】
また、出力ラインに接続する負荷が変更された場合には、負荷に最適な遮断電流を有する遮断ユニットに交換しなければならないため、交換する遮断ユニットが無い場合には、負荷を動作させることができなく、生産などに大きな影響を及ぼす課題がある。
【０００６】
さらに、従来の端子台ユニットに対して、顧客から立ち上がりや立ち下がりのシーケンスを調整したい、運転時の電流値や電圧値の状態を確認したいなどの要望がある。
【０００７】
本発明は上記点に鑑みてなされたものであり、その目的とするところは、遮断ユニットを別個に設けなくても、電源供給端子毎に直流電源の接続／切断のタイミング、直流電源を切断する過電流の設定および実行が可能で、電流値／電圧値の表示及び過電流の通報ができる端子台ユニット及び、その制御方法を提供することにある。
【課題を解決するための手段】
【０００８】
上記目的を達成するために本発明の端子台ユニットは、電源装置から供給される直流電源を収容し、複数の負荷に分配して供給する端子台ユニットであって、電源供給端子毎に複数の負荷に供給する直流電源の接続／切断のタイミング、切断電流値を制御するとともに、電流値／電圧値の表示、過電流および異常電圧の通報を制御する端子台制御手段を備えたことを特徴とする。
【０００９】
本発明の端子台ユニットによれば、電源装置から供給される直流電源を収容し、複数の負荷に分配して供給する端子台ユニットであって、電源供給端子毎に複数の負荷に供給する直流電源の接続／切断のタイミング、切断電流値を制御するとともに、電流値／電圧値の表示、過電流および異常電圧の通報を制御する端子台制御手段を備えたので、負荷に供給する直流電源の状態を顧客が自由に設定し、直流電源の運転状態を一目で確認することができる。
【００１０】
また、本発明の端子台ユニットは、その端子台制御手段が、電源接続／切断のタイミングを決定するシーケンス手段、電流を検出する電流検出手段、端子電圧を検出する電圧検出手段、直流電源の接続／切断を実行するスイッチング手段、電流値／電圧値を表示する表示手段、過電流および異常電圧の通報を行う通報手段、ユニットの全体動作を制御する制御手段を備えたことを特徴とする。
【００１１】
本発明の端子台ユニットによれば、同端子台制御手段が電源接続／切断のタイミングを決定するシーケンス手段、電流を検出する電流検出手段、端子電圧を検出する電圧検出手段、直流電源の接続／切断を実行するスイッチング手段、電流値／電圧値を表示する表示手段、過電流および異常電圧の通報を行う通報手段、ユニットの全体動作を制御する制御手段を備えたので、負荷に応じて電源接続／切断のタイミングを設定し、運転状態の電流値／電圧値の表示ならびに負荷に過電流が流れたことを通知することができる。
【００１２】
さらに、本発明の端子台ユニットは、端子台制御手段が電源接続／切断のタイミング、過電流値を設定または変更する設定手段を備えたことを特徴とする。
【００１３】
本発明の端子台ユニットによれば、端子台制御手段が電源接続／切断のタイミング、過電流値を設定または変更する設定手段を備えたので、負荷に供給する直流電源の電源接続／切断のタイミング、直流電源を切断する過電流値の設定または変更を顧客が自由に行うことができる。
【００１４】
また、本発明の端子台ユニットは、端子台制御手段が通報を開始する過電流値およびスイッチング手段を切断する過電流値の過電流データを記憶するとともに、電源接続／切断のシーケンスデータを記憶する記憶手段を備えたことを特徴とする。
【００１５】
本発明の端子台ユニットによれば、端子台制御手段が通報を開始する過電流値およびスイッチング手段を切断する過電流値の過電流データを記憶するとともに、電源接続／切断のシーケンスデータを記憶する記憶手段を備えたので、過電流の通報、過電流に対する直流電源の切断、電源接続／切断のシーケンスなどを自由に設定し、実行することができる。
【００１６】
また、本発明の端子台ユニットは、制御手段が電流検出手段にて過電流を検出しても、検出した過電流値と継続時間に基づいて過電流の通報および電源切断を実行しないように制御することを特徴とする。
【００１７】
本発明の端子台ユニットによれば、制御手段が電流検出手段にて過電流を検出しても、検出した過電流値と継続時間に基づいて過電流の通報および電源切断を実行しないように制御するので、容量性負荷に突入電流が流れても、過電流の通報および電源切断することなく負荷に電源を供給することができる。
【００１８】
また、上記目的を達成するために本発明の端子台ユニットの制御方法は、電源装置から供給される直流電源を収容し、複数の負荷に分配して供給する制御方法であって、直流電源を設定したタイミングで接続するステップＳ１と、電流値および電圧値を表示するステップＳ２と、電流値が第１設定値を越えたか否かを判定するステップＳ３と、第１設定値を越えた場合に、過電流の通報を実行するステップＳ４と、電流値が第２設定値を越えたか否かを判定するステップＳ５と、第２設定値を越えた場合に、電源を切断するステップＳ６とを備えたことを特徴とする。
【００１９】
本発明の端子台ユニットの制御方法によれば、直流電源を設定したタイミングで接続するステップＳ１と、電流値および電圧値を表示するステップＳ２と、電流値が第１設定値を越えたか否かを判定するステップＳ３と、第１設定値を越えた場合に、過電流の通報を実行するステップＳ４と、電流値が第２設定値を越えたか否かを判定するステップＳ５と、第２設定値を越えた場合に、電源を切断するステップＳ６とを備えたので、負荷に過電流が流れたことを通知し、過電流が増加すると直流電源を切断することができる。
【００２０】
また、上記目的を達成するために本発明の端子台ユニットは、電源装置と接続し、この電源装置からの電力を複数の負荷に分配供給するための複数の電源供給端子を備えた端子台ユニットであって、前記電源供給端子毎に設け、前記電源装置及び電源供給端子間の電流を検出する電流検出手段と、前記電源供給端子毎に設け、前記電源装置及び電源供給端子間の接続を切断するスイッチ手段と、前記電流検出手段にて検出した現在の電流値に基づき、電流情報に関わる通報信号を出力すると共に、前記スイッチ手段の接続切断動作を実行すべく、前記スイッチ手段を制御する制御手段とを有することを特徴とする。
【００２１】
従って、本発明の端子台ユニットによれば、電源供給端子毎に電源装置及び電源供給端子間の電流を検出し、現在の電流値に基づき、電流情報に関わる通報信号を出力すると共に、電源装置及び電源供給端子間のスイッチ手段の接続切断動作を実行するようにしたので、例えば過電流が発生した場合は過電流の発生を速やかに通報することができると共に、例えば負荷に過電流が流れたとしても、自動的に電源装置及び電源供給端子間の接続を切断することで安全性を確保することができる。
【００２２】
また、本発明の端子台ユニットは、過電流発生と判断するための第１電流値及び、前記スイッチ手段の接続切断動作を起動するための第２電流値を記憶する記憶手段を有し、前記制御手段は、前記電流検出手段にて検出した現在の電流値が前記第１電流値を超えたか否かを判定する第１電流値判定手段と、前記電流検出手段にて検出した現在の電流値が前記第２電流値を超えたか否かを判定する第２電流値判定手段と、前記第１電流値判定手段にて前記電流値が前記第１電流値を超えたと判定されると、過電流発生に関わる電流情報の通報信号を出力する通報出力手段と、前記第２電流値判定手段にて前記電流値が前記第２電流値を超えたと判定されると、前記スイッチ手段の接続切断動作を実行すべく、前記スイッチ手段を制御するスイッチ制御手段とを有することを特徴とする。
【００２３】
従って、本発明の端子台ユニットによれば、過電流発生と判断するための第１電流値及び、スイッチ手段の接続切断動作を起動するための第２電流値を記憶しておき、現在の電流値が第１電流値を超えたと判定されると、過電流発生に関わる電流情報の通報信号を出力すると共に、現在の電流値が第２電流値を超えたと判定されると、スイッチ手段の接続切断動作を実行するようにしたので、過電流が発生した場合は過電流の発生を速やかに通報することができると共に、例えば過電流に対して、自動的に電源装置及び電源供給端子間の接続を切断することで安全性を確保することができる。
【００２４】
本発明の端子台ユニットは、前記通報出力手段が、前記第１電流値判定手段にて前記電流値が前記第１電流値を所定継続時間以上継続して超えたと判定されると、前記過電流発生に関わる電流情報の通報信号を出力すると共に、前記第１電流値判定手段にて前記電流値が前記第１電流値を前記所定継続時間以上継続して超えてないと判定されると、前記通報信号の出力を禁止すると共に、前記スイッチ制御手段は、前記第２電流値判定手段にて前記電流値が前記第２電流値を前記所定継続時間以上継続して超えたと判定されると、前記スイッチ手段の接続切断動作を実行すべく、前記スイッチ手段を制御すると共に、前記第２電流値判定手段にて前記電流値が前記第２電流値を前記所定継続時間以上継続して超えていないと判定されると、前記スイッチ手段の接続切断動作を禁止すべく、前記スイッチ手段を制御することを特徴とする。
【００２５】
従って、本発明の端子台ユニットによれば、現在の電流値が第１電流値を所定継続時間以上継続して超えたと判定されると、過電流発生に関わる電流情報の通報信号を出力すると共に、現在の電流値が第１電流値を所定継続時間以上継続して超えてないと判定されると、通報信号の出力を禁止すると共に、現在の電流値が第２電流値を所定継続時間以上継続して超えたと判定されると、スイッチ手段の接続切断動作を実行すると共に、現在の電流値が第２電流値を所定継続時間以上継続して超えていないと判定されると、スイッチ手段の接続切断動作を禁止するようにしたので、例えば電流値が瞬間的に第１電流値若しくは第２電流値を超えたことで過電流と判断してしまうような誤動作を確実に防止することで信頼性を損なうことなく安定した電力供給を確保することができる。
【００２６】
本発明の端子台ユニットは、前記スイッチ手段の後段に配置され、前記電源装置及び電源供給端子間の接続を切断するサブスイッチ手段と、前記第２電流値以上の電流値に相当する第３電流値を記憶するサブ記憶手段と、前記電源装置及び電源供給端子間の現在の電流値が前記第３電流値を超えたか否かを判定する第３電流値判定手段と、この第３電流値判定手段にて前記電流値が前記第３電流値を超えたと判定されると、前記サブスイッチ手段の接続切断動作を実行すべく、前記サブスイッチ手段を制御するサブ制御手段とを有することを特徴とする。
【００２７】
従って、本発明の端子台ユニットによれば、スイッチ手段の後段にサブスイッチ手段を配置し、前記第２電流値以上の電流値に相当する第３電流値を記憶しておき、現在の電流値が第３電流値を超えたと判定されると、前記制御手段とは異なるサブ制御手段が前記サブスイッチ手段の接続切断動作を実行するようにしたので、例えば制御手段が故障してスイッチ手段の接続切断動作が実行されなくても、サブ制御手段側でサブスイッチ手段の接続切断動作を実行することになるため、過電流に対する安全性の向上を図ることができる。
【００２８】
本発明の端子台ユニットは、所定の積算稼働時間に相当する第１積算稼働時間を記憶する前記記憶手段と、現在の積算稼動時間を監視する積算稼働時間監視手段と、前記積算稼動時間監視手段にて現在の積算稼動時間が前記第１積算稼動時間を超えたか否かを判定する積算稼働時間判定手段とを有し、前記通報出力手段は、前記積算稼働時間判定手段にて現在の積算稼働時間が前記第１積算稼働時間を超えたと判定されると、前記積算稼働時間に関わる情報の通報信号を出力することを特徴とする。
【００２９】
従って、本発明の端子台ユニットによれば、所定の積算稼働時間に相当する第１積算稼働時間を記憶しておき、現在の積算稼働時間が第１積算稼働時間を超えたと判定されると、積算稼働時間に関わる情報、所定の積算稼働時間を経過したことを示す情報の通報信号を出力するようにしたので、所定の積算稼働時間を経過したことを通報することができる。例えば所定の積算稼働時間を端子台ユニットの交換時期とした場合、端子台ユニットの交換時期の到来を速やかに通報することができる。
【００３０】
本発明の端子台ユニットは、所定の周囲温度に相当する第１周囲温度を記憶する前記記憶手段と、現在の周囲温度を検出する周囲温度検出手段と、前記周囲温度検出手段にて現在の周囲温度が前記第１周囲温度を超えたか否かを判定する周囲温度判定手段とを有し、前記通報出力手段は、前記周囲温度判定手段にて現在の周囲温度が前記第１周囲温度を超えたと判定されると、前記周囲温度に関わる情報の通報信号を出力することを特徴とする。
【００３１】
従って、本発明の端子台ユニットによれば、所定の周囲温度に相当する第１周囲温度を記憶しておき、現在の周囲温度が第１周囲温度を超えたと判定されると、周囲温度に関わる情報、例えば第１周囲温度を超えた旨を示す情報の通報信号を出力するようにしたので、端末台ユニットの周囲温度が第１周囲温度を超えたことを迅速に通報することができる。
【００３２】
本発明の端子台ユニットは、過電圧発生と判断するための第１電圧値及び、前記スイッチ手段の接続切断動作を起動するための第２電圧値を記憶する前記記憶手段と、前記電源供給端子毎に設け、前記電源装置及び電源供給端子間の電圧を検出する電圧検出手段と、前記電圧検出手段にて検出した現在の電圧値が前記第１電圧値を超えたか否かを判定する第１電圧値判定手段と、前記電圧検出手段にて検出した現在の電圧値が前記第２電圧値を超えたか否かを判定する第２電圧値判定手段とを有し、前記通報出力手段は、前記第１電圧値判定手段にて現在の電圧値が前記第１電圧値を超えたと判定されると、前記過電圧発生に関わる電圧情報の通報信号を出力すると共に、前記スイッチ制御手段は、前記第２電圧値判定手段にて現在の電圧値が前記第２電圧値を超えたと判定されると、前記スイッチ手段の接続切断動作を実行すべく、前記スイッチ手段を制御することを特徴とする。
【００３３】
従って、本発明の端子台ユニットによれば、過電圧発生と判断するための第１電圧値及び、スイッチ手段の接続切断動作を起動するための第２電圧値を記憶しおき、電源供給端子毎に電源装置及び電源供給端子間の電圧を検出し、現在の電圧値が第１電圧値を超えたと判定されると、過電圧発生に関わる電圧情報の通報信号を出力すると共に、現在の電圧値が第２電圧値を超えたと判定されると、スイッチ手段の接続切断動作を実行するようにしたので、過電圧が発生した場合は過電圧の発生を速やかに通報することができると共に、例えば過電圧に対して、自動的に電源装置及び電源供給端子間の接続を切断することで安全性を確保することができる。
【００３４】
本発明の端子台ユニットは、前記記憶手段の記憶内容を設定変更する設定変更手段を有するようにした。
【００３５】
従って、本発明の端子台ユニットによれば、設定変更手段を通じて記憶手段の記憶内容、例えば第１電流値、第２電流値、第１積算稼働時間、第１周囲温度、第１電圧値及び第２電圧値等を設定変更可能にしたので、端子台ユニットのユーザは、設定変更手段を使用して自由な設定が可能となる。
【００３６】
本発明の端子台ユニットは、前記電流検出手段にて検出した電流値に基づき、現在の電流値、所定時間単位の電流平均値、ピーク電流値及び低電流値を表示手段に表示出力する電流値出力手段を有することを特徴とする。
【００３７】
従って、本発明の端子台ユニットによれば、電流検出手段にて検出した電流値に基づき、現在の電流値、所定時間単位の電流平均値、ピーク電流値及び低電流値を表示手段に表示出力するようにしたので、端子台ユニットのユーザは、表示手段の表示内容を見ることで、同表示内容である現在の電流値、電流平均値、ピーク電流値や低電流値等を認識することができる。
【発明の効果】
【００３８】
上記のように構成された端子台ユニットによれば、電源装置から供給される直流電源を収容し、複数の負荷に分配して供給する端子台ユニットであって、電源供給端子毎に複数の負荷に供給する直流電源の接続／切断のタイミング、切断電流値を制御するとともに、電流値／電圧値の表示および過電流の通報を制御する端子台制御手段を備えたので、負荷に供給する直流電源の状態を顧客が自由に設定し、直流電源の運転状態を一目で確認することができ、使い勝手が良く、利便性の向上を図ることができる。
【００３９】
また、本発明の端子台ユニットによれば、端子台制御手段が、電源接続／切断のタイミングを決定するシーケンス手段、電流を検出する電流検出手段、端子電圧を検出する電圧検出手段、直流電源の接続／切断を実行するスイッチング手段、電流値／電圧値を表示する表示手段、過電流の通報を行う通報手段、ユニットの全体動作を制御する制御手段を備えたので、負荷に応じて電源接続／切断のタイミングを設定し、運転状態の電流値／電圧値の表示ならびに負荷に過電流が流れたことを通知することができ、使い勝手の良さをアピールすることができる。
【００４０】
さらに、本発明の端子台ユニットによれば、端子台制御手段が、電源接続／切断のタイミング、過電流値を設定または変更する設定手段を備えたので、負荷に供給する直流電源の電源接続／切断のタイミング、直流電源を切断する過電流値の設定または変更を顧客の思いどおりに行うことができ、ユニットの自由度ならびに拡張性を実現することができる。
【００４１】
また、本発明の端子台ユニットによれば、端子台制御手段が、通報を開始する過電流値およびスイッチング手段を切断する過電流値の過電流データを記憶するとともに、電源接続／切断のシーケンスデータを記憶する記憶手段を備えたので、過電流の通報、過電流に対する直流電源の切断、電源接続／切断のシーケンスなどを自由に設定し、実行することができ、利便性をアピールすることができる。
【００４２】
さらに、本発明の端子台ユニットによれば、制御手段が、電流検出手段が過電流を検出しても、検出した過電流値と継続時間に基づいて過電流の通報および電源切断を実行しないように制御するので、容量性負荷に突入電流が流れても、過電流の通報および電源切断することなく負荷に電源を供給することができ、信頼性を損なうことなく安定した電源供給を行うことができる。
【００４３】
上記のように構成された本発明の端子台ユニットの制御方法によれば、直流電源を設定したタイミングで接続するステップＳ１と、電流値および電圧値を表示するステップＳ２と、電流値が第１設定値を越えたか否かを判定するステップＳ３と、第１設定値を越えた場合に、過電流の通報を実行するステップＳ４と、電流値が第２設定値を越えたか否かを判定するステップＳ５と、第２設定値を越えた場合に、電源を切断するステップＳ６とを備えたので、負荷に過電流が流れたことを通知し、過電流が増加すると直流電源を切断することができ、ユニットの信頼性を向上させることができる。
【００４４】
上記のように構成された本発明の端子台ユニットによれば、電源供給端子毎に電源装置及び電源供給端子間の電流を検出し、現在の電流値に基づき、電流情報に関わる通報信号を出力すると共に、電源装置及び電源供給端子間のスイッチ手段の接続切断動作を実行するようにしたので、例えば過電流が発生した場合は過電流の発生を速やかに通報することができると共に、例えば負荷に過電流が流れたとしても、自動的に電源装置及び電源供給端子間の接続を切断することで安全性を確保することができる。
【００４５】
また、本発明の端子台ユニットによれば、過電流発生と判断するための第１電流値及び、スイッチ手段の接続切断動作を起動するための第２電流値を記憶しておき、現在の電流値が第１電流値を超えたと判定されると、過電流発生に関わる電流情報の通報信号を出力すると共に、現在の電流値が第２電流値を超えたと判定されると、スイッチ手段の接続切断動作を実行するようにしたので、過電流が発生した場合は過電流の発生を速やかに通報することができると共に、例えば過電流に対して、自動的に電源装置及び電源供給端子間の接続を切断することで安全性を確保することができる。
【００４６】
また、本発明の端子台ユニットによれば、現在の電流値が第１電流値を所定継続時間以上継続して超えたと判定されると、過電流発生に関わる電流情報の通報信号を出力すると共に、現在の電流値が第１電流値を所定継続時間以上継続して超えてないと判定されると、通報信号の出力を禁止すると共に、現在の電流値が第２電流値を所定継続時間以上継続して超えたと判定されると、スイッチ手段の接続切断動作を実行すると共に、現在の電流値が第２電流値を所定継続時間以上継続して超えていないと判定されると、スイッチ手段の接続切断動作を禁止するようにしたので、例えば電流値が瞬間的に第１電流値若しくは第２電流値を超えたことで過電流と判断してしまうような誤動作を確実に防止することで信頼性を損なうことなく安定した電力供給を確保することができる。
【００４７】
さらに、本発明の端子台ユニットによれば、スイッチ手段の後段にサブスイッチ手段を配置し、前記第２電流値以上の電流値に相当する第３電流値を記憶しておき、現在の電流値が第３電流値を超えたと判定されると、前記制御手段とは異なるサブ制御手段が前記サブスイッチ手段の接続切断動作を実行するようにしたので、例えば制御手段が故障してスイッチ手段の接続切断動作が実行されなくても、サブ制御手段側でサブスイッチ手段の接続切断動作を実行することになるため、過電流に対する安全性の向上を図ることができる。
【００４８】
また、本発明の端子台ユニットによれば、所定の積算稼働時間に相当する第１積算稼働時間を記憶しておき、現在の積算稼働時間が第１積算稼働時間を超えたと判定されると、積算稼働時間に関わる情報、所定の積算稼働時間を経過したことを示す情報の通報信号を出力するようにしたので、所定の積算稼働時間を経過したことを通報することができる。例えば所定の積算稼働時間を端子台ユニットの交換時期とした場合、端子台ユニットの交換時期の到来を速やかに通報することができる。
【００４９】
また、本発明の端子台ユニットによれば、所定の周囲温度に相当する第１周囲温度を記憶しておき、現在の周囲温度が第１周囲温度を超えたと判定されると、周囲温度に関わる情報、例えば第１周囲温度を超えた旨を示す情報の通報信号を出力するようにしたので、端末代ユニットの周囲温度が第１周囲温度を超えたことを迅速に通報することができる。
【００５０】
また、本発明の端子台ユニットによれば、過電圧発生と判断するための第１電圧値及び、スイッチ手段の接続切断動作を起動するための第２電圧値を記憶しおき、電源供給端子毎に電源装置及び電源供給端子間の電圧を検出し、現在の電圧値が第１電圧値を超えたと判定されると、過電圧発生に関わる電圧情報の通報信号を出力すると共に、現在の電圧値が第２電圧値を超えたと判定されると、スイッチ手段の接続切断動作を実行するようにしたので、過電圧が発生した場合は過電圧の発生を速やかに通報することができると共に、例えば過電圧に対して、自動的に電源装置及び電源供給端子間の接続を切断することで安全性を確保することができる。
【００５１】
また、本発明の端子台ユニットによれば、設定変更手段を通じて記憶手段の記憶内容、例えば第１電流値、第２電流値、第１積算稼働時間、第１周囲温度、第１電圧値及び第２電圧値等を設定変更可能にしたので、端子台ユニットのユーザは、設定変更手段を使用して自由な設定が可能となる。
【００５２】
また、本発明の端子台ユニットによれば、電流検出手段にて検出した電流値に基づき、現在の電流値、所定時間単位の電流平均値、ピーク電流値及び低電流値を表示手段に表示出力するようにしたので、端子台ユニットのユーザは、表示手段の表示内容を見ることで、同表示内容である現在の電流値、電流平均値、ピーク電流値や低電流値等を認識することができる。
【発明を実施するための最良の形態】
【００５３】
以下、図面に基づき本発明の端子台ユニットの実施の形態を示す電源分配システムについて説明する。
【００５４】
（実施の形態１）
図１は第１の実施の形態を示す電源分配システム内部の概略構成を示すブロック図である。
【００５５】
図１において電源分配システム１００内の端子台ユニット１は、端子台制御手段２、直流電源装置ＰSを接続する入力端子Ｉ１，Ｉ２、直流電源装置ＰＳから供給される直流電圧ＶDを分岐して負荷Ｌ１〜負荷ｎに、それぞれ直流電圧ＶDおよび負荷電流ＩL1〜ＩLnを供給する出力端子Ａ１，Ｂ１〜Ａｎ，Ｂｎを備える。
【００５６】
端子台制御手段２は、出力端子Ａ１，Ｂ１〜Ａｎ，Ｂｎ（電源供給端子）毎に、複数の負荷（負荷Ｌ１〜負荷ｌｎ）に供給する直流電源（直流電圧ＶD）の接続／切断のタイミング、切断電流値を制御するとともに、電流値／電圧値の表示および過電流の通報を制御する。
【００５７】
図２は第１の実施の形態に関わる端子台制御手段内部の概略構成を示すブロック図である。なお、端子台制御手段２は、出力端子Ａ１，Ｂ１から負荷Ｌ１に直流電源（直流電圧ＶD）を供給する１ブロック（チャネルＣＨ１）について説明するが、出力端子Ａ２，Ｂ２〜Ａｎ，Ｂｎから負荷Ｌ２〜Ｌｎに直流電源（直流電圧ＶD）を供給する２ブロック〜ｎブロック（チャネルＣＨ２〜ＣＨｎ）についても同じ構成である。
【００５８】
図２において、端子台制御手段２は、制御手段３、制御手段３に含まれるシーケンス手段４、電流検出手段５、電圧検出手段６、スイッチング手段７、表示手段８、通報手段９、設定手段１０、記憶手段１１を備える。
【００５９】
制御手段３は、マイクロプロセッサを基本にＡ／Ｄ変換機能、各種演算機能、比較機能、タイマ機能、処理機能を有し、シーケンス手段４からのタイミング決定された情報に基づいてスイッチデータＤSをスイッチング手段７に供給して、スイッチング素子７ａ，７ｂをオン／オフさせ、出力ラインＬP−出力ラインＬM間の直流電圧ＶDを設定されたタイミングで出力端子Ａ１，Ｂ１に接続させたり、切断させたりする。
【００６０】
また、制御手段３は、電流検出手段５から提供される負荷電流ＩL1を対応する電圧に変換した変換電圧Ｖｄを記憶手段１１に記憶されている電圧値と比較し、変換電圧Ｖｄが過電流ＩKに対応する電圧値を超えた場合には、通報データＤTを供給して、通報手段９から警告音を発生させ、負荷Ｌ１に異常電流が流れたことを通知する制御を行う。また、通報データＤTに基づいてトランジスタやリレーを動作させて、電気信号を外部に出力し、外部の表示器や警報器に異常電流が流れたこと表示し、通知するようにする制御を行う。
【００６１】
さらに、制御手段３は、電流検出手段５から提供される変換電圧Ｖｄが過電流ＩKに対応する電圧値をさらにオーバした場合には、スイッチデータＤSをスイッチング手段７に供給してスイッチング素子７ａ，７ｂをオフさせ、出力ラインＬP−出力ラインＬM間の直流電圧ＶDを出力端子Ａ１，Ｂ１から切断させる制御を実行する。
【００６２】
また、制御手段３は、負荷Ｌ１に直流電源（直流電圧ＶD）を供給する初期状態で、電圧検出手段６から提供される検出電圧ＶPを記憶手段１１に記憶されている電圧値と比較し、検出電圧ＶPが直流電圧ＶDの定常値（例えば、２４Ｖ）に近い電圧値（例えば、２２Ｖ）を越える値が所定時間を越える場合には、スイッチデータＤSをスイッチング手段７に供給してスイッチング素子７ａ，７ｂをオンさせ、負荷Ｌ１を直流電源の初期供給時から正常な電圧で駆動する制御を行う。
【００６３】
さらに、制御手段３は、直流電圧ＶDを負荷Ｌ１に供給中に、電圧検出手段６から提供される検出電圧ＶPが直流電圧ＶDの定常値（例えば、２４Ｖ）に近い電圧値（例えば、２２Ｖ）を下回る値が所定時間を越える場合には、スイッチデータＤSをスイッチング手段７に供給してスイッチング素子７ａ，７ｂをオフさせ、負荷Ｌ１を直流電源の異常な電圧で駆動しない制御を実行する。
【００６４】
また、制御手段３は、電流検出手段５から提供される変換電圧Ｖｄおよび電圧検出手段６から提供される検出電圧ＶPに基づいて表示データＤGを表示手段８に供給し、表示手段８に過電流ＩKを含む負荷電流ＩL1および直流電圧ＶDをそれぞれ電流値および電圧値で表示させる制御を行う。
【００６５】
さらに、制御手段３は、設定手段１０から供給される直流電源（直流電圧ＶD）の接続や切断のタイミング情報、過電流ＩKの複数レベルの過電流値データ、直流電圧ＶDの供給開始下限電圧データならびに供給停止上限電圧データ、突入電流ＩRに対する過電流ＩKの過電流値データおよび継続時間のタイミング情報等の設定情報ＪSを記憶情報ＪMとして記憶手段１１に格納させる制御を実行する。
【００６６】
また、制御手段３は、設定手段１０からの設定情報ＪSまたは記憶手段１１からの記憶情報ＪMを表示データＤGとして表示手段８に供給し、各種情報およびデータを表示手段８に表示させる制御を行う。
【００６７】
さらに、制御手段３は、負荷Ｌ１が容量性負荷のような直流電源（直流電圧ＶD）を供給する初期状態に突入電流ＩRが流れる場合、電流検出手段６が過電流過電流ＩKを検出しても、検出した過電流ＩKと継続時間τに基づいて過電流ＩKの通報および電源切断をさせない制御を実行する。
【００６８】
シーケンス手段４は、順序機能、タイマ機能を備え、設定手段１０からの設定情報ＪSに基づいてスイッチング手段７のスイッチング素子７ａ，７ｂをオン／オフさせるスイッチデータＤSを発生するタイミングを決定する。
【００６９】
また、シーケンス手段４は、突入電流ＩRが流れた場合、電流検出手段５から供給される過電流ＩKの値と継続時間τを監視し、突入電流ＩRが規定の過電流ＩKを超えても、規定の継続時間τを下回る場合には、本来ならスイッチング手段７のスイッチング素子７ａ，７ｂをオフさせるスイッチデータＤSの発生を禁止し、直流電源（直流電圧ＶD）を負荷Ｌ１に継続して供給し、容量性負荷に直流電源（直流電圧ＶD）を印加する初期状態で必然的に発生する突入電流ＩRに起因する直流電源（直流電圧ＶD）の切断を防止する。
【００７０】
電流検出手段５は、出力ラインＬMに挿入した電流検出用抵抗器ｒ、電流検出用抵抗器ｒに流れる負荷電流ＩL1による電圧降下を増幅する差動増幅器などで構成し、負荷電流ＩL1を対応する変換電圧Ｖｄで検出し、変換電圧Ｖｄを制御手段３に提供する。
【００７１】
電圧検出手段６は、出力ラインＬP−ＬM間の直流電圧ＶDを抵抗分割、差動増幅器などで降圧し、降圧した直流電圧ＶDに対応する検出電圧ＶPで検出し、検出電圧ＶPを制御手段３に提供する。
【００７２】
スイッチング手段７は、リレーや、ＭＯＳＦＥＴ、トランジスタ等の半導体スイッチで構成して出力ラインＬP，ＬMに挿入し、制御手段３から供給されるスイッチデータＤSに基づいてスイッチング素子７ａおよびスイッチング素子７ｂをオン（実線表示）またはオフ（破線表示）に駆動し、直流電源（直流電圧ＶD）を出力端子Ａ１，Ｂ１に接続し、または切断する。
【００７３】
なお、スイッチング素子７ａおよびスイッチング素子７ｂは、リレー接点、ＭＯＳＦＥＴのドレインとソース、トランジスタのコレクタとエミッタに相当し、スイッチデータＤSをリレー巻線、ＦＥＴのゲート、トランジスタのベースに供給することにより、リレーや半導体スイッチをオン状態あるいはオフ状態にする。
【００７４】
表示手段８は、表示駆動回路、ＬＣＤ（液晶表示器）などで構成し、制御手段３から供給される表示データＤGに応じて表示駆動信号を発生し、ＬＣＤに電流値や電圧値などを表示する。
【００７５】
また、表示手段８は、複数の発光ダイオード（ＬＥＤ）を備え、スイッチング手段７がオン状態にある場合には、例えば青色発光ダイオードＬＥＤ（Ｂ）を点灯し、スイッチング手段７がオフ状態にある場合には、例えば赤色発光ダイオードＬＥＤ（Ｒ）を点灯して表示する。
【００７６】
通報手段９は、発振器、スピーカ、トランジスタ出力やリレー出力等で構成し、制御手段３から供給される通報データＤTに応じて警告信号を発生し、例えばスピーカから警告音を発生して直流電圧ＶDまたは負荷電流ＩL1の異常を通知する。尚、通報手段９がトランジスタ出力やリレー出力等の場合、制御手段３からの通報データＤＴに応じて警告信号を発生し、この警告信号を通報出力（表示出力）するものである。
【００７７】
設定手段１０は、キー、ボリューム、またはロータリスイッチなどで構成し、直流電源（直流電圧ＶD）の接続や切断のタイミング情報、過電流ＩKの複数レベルの過電流値データ、直流電圧ＶDの供給開始下限電圧データならびに供給停止上限電圧データ、突入電流ＩRに対する過電流ＩKの過電流値データ、継続時間のタイミング情報等の設定または変更のための設定情報ＪSを制御手段３に供給する。
【００７８】
このように、この発明に係る端子台制御手段２は、電源（直流電圧ＶD）接続／切断のタイミング、過電流ＩK値を設定または変更する設定手段１０を備えたので、負荷Ｌ１に供給する直流電源（直流電圧ＶD）の電源接続／切断のタイミング、直流電源（直流電圧ＶD）を切断する過電流ＩK値の設定または変更を顧客の思いどおりに行うことができ、ユニットの自由度ならびに拡張性を実現することができる。
【００７９】
記憶手段１１は、ＲＯＭ等の固定メモリ、フラッシュメモリ等の書替え可能なメモリで構成し、各種制御プログラム、設定手段１０からの設定情報ＪSに基づいて制御手段３の制御により、直流電源（直流電圧ＶD）の接続や切断のタイミング情報、過電流ＩKの複数レベルの過電流値データ、直流電圧ＶDの供給開始下限電圧データならびに供給停止上限電圧データ、突入電流ＩRに対する過電流ＩKの過電流値データおよび継続時間のタイミング情報等を記憶情報ＪMとして記憶（格納）する。
【００８０】
また、記憶手段１１は、記憶（格納）した記憶情報ＪMを制御手段３に提供する。
【００８１】
このように、この発明に係る端子台制御手段２は、通報を開始する過電流ＩK値およびスイッチング手段７を切断する過電流ＩK値の過電流データを記憶するとともに、電源接続／切断のシーケンスデータを記憶する記憶手段１１を備えたので、過電流の通報、過電流に対する直流電源の切断、電源接続／切断のシーケンスなどを自由に設定し、実行することができ、利便性をアピールすることができる。
【００８２】
なお、制御手段３、シーケンス手段４、通報手段９、設定手段１０および記憶手段１１は、１ブロック（チャネルＣＨ１）に属することで説明したが、２ブロック〜ｎブロック（チャネルＣＨ２〜ＣＨｎ）で共用してもよい。
【００８３】
このように、この発明に係る端子台制御手段２は、電源接続／切断のタイミングを決定するシーケンス手段４、電流（負荷電流ＩL1）を検出する電流検出手段５、端子電圧（直流電圧ＶD）を検出する電圧検出手段６、直流電源（直流電圧ＶD）の接続／切断を実行するスイッチング手段７、電流値／電圧値を表示する表示手段８、過電流ＩKおよび異常電圧の通報を行う通報手段９、ユニットの全体動作を制御する制御手段３を備えたので、負荷Ｌ１に応じて電源接続／切断のタイミングを設定し、運転状態の電流値／電圧値の表示ならびに負荷に過電流が流れたことを通知することができ、使い勝手の良さをアピールすることができる。
【００８４】
図３は第１の実施の形態に関わる制御手段の突入電流防止機能イメージ図である。（ａ）図は突入電流防止機能がない場合の負荷電流特性、（ｂ）〜（ｄ）図は突入電流防止機能を有する各ブロック（チャネルＣＨ１〜ＣＨ３）の時間−負荷電流特性を表わす。なお、１ブロック〜３ブロック（チャネルＣＨ１〜ＣＨ３）で、負荷Ｌ１〜Ｌ３を駆動し、負荷電流ＩL1〜ＩL3が流れるものとして説明する。
【００８５】
（ａ）図において、突入電流防止機能がない状態で、負荷Ｌ１〜Ｌ３を接続して直流電源装置ＰSの直流電圧ＶDを印加した場合、容量性負荷には直流電圧ＶDの印加時点（時間ｔ＝０）で負荷電流ＩLの波高値が突入電流ＩRの最大値に達し、容量値と抵抗値の時定数で指数関数的に減少する特性を示す。
【００８６】
直流電源装置ＰSに過電流防止機能があり、突入電流Ｉrが継続時間Ｔτよりも少ない時間で動作するものとすると、直流電圧ＶDの印加後の時間Ｔτで端子台ユニット１への電源供給を停止してしまう。
【００８７】
（ｂ）図〜（ｄ）図において、シーケンス手段４を含む制御手段３は、負荷Ｌ１〜負荷Ｌ３に直流電源（直流電圧ＶD）を供給開始するタイミングをｔ１，ｔ２およびｔ３とし、それぞれ負荷電流ＩL1の突入電流制限値ＩR1が継続時間τ、負荷電流ＩL2の突入電流制限値ＩR2が継続時間τ、負荷電流ＩL3の突入電流制限値ＩR3が継続時間τを越えた場合には、スイッチング手段７のスイッチング素子７ａおよびスイッチング素子７ｂをオフ状態にして負荷Ｌ１〜Ｌ３への直流電源（直流電圧ＶD）の供給を停止するように制御手段３が制御すると、負荷電流ＩL1、負荷電流ＩL2および負荷電流ＩL3を停止することなく、負荷Ｌ１〜負荷Ｌ３に直流電源（直流電圧ＶD）を継続して供給することができる。
【００８８】
負荷Ｌ１〜負荷Ｌ３に流す負荷電流ＩL1〜負荷電流ＩL3を同時に流さず、負荷電流ＩL1を流してから負荷電流ＩL2を流すまで時間Ｔａだけタイミングを遅らせ、負荷電流ＩL2を流してから負荷電流ＩL3を流すまで時間Ｔｂだけタイミングを遅らせることにより、負荷電流ＩL1〜負荷電流ＩL3の突入電流の波高値を低く抑え、波高値の継続時間も短くすることができ、直流電源装置ＰSの過電流防止機能を動作させることなく、定常電流が流れる負荷と同様に扱うことができる。
【００８９】
このように、この発明に係る制御手段３は、電流検出手段５が過電流ＩKを検出しても、検出した過電流値ＩKと継続時間τに基づいて過電流の通報および電源切断を実行しないように制御するので、容量性負荷に突入電流ＩRが流れても、過電流ＩKの通報および電源切断することなく負荷に電源を供給することができ、信頼性を損なうことなく安定した電源供給を行うことができる。
【００９０】
以上説明したように、この発明に係る端子台ユニット１は、電源装置ＰSから供給される直流電源（直流電圧ＶD）を収容し、複数の負荷Ｌ１〜Ｌｎに分配して供給する端子台ユニットであって、電源供給端子（出力端子Ａ１，Ｂ１〜Ａｎ，Ｂｎ）毎に複数の負荷Ｌ１〜Ｌｎに供給する直流電源（直流電圧ＶD）の接続／切断のタイミング、切断電流値を制御するとともに、電流値／電圧値の表示、過電流および異常電圧の通報を制御する端子台制御手段２を備えたので、負荷に供給する直流電源の状態を顧客が自由に設定し、直流電源の運転状態を一目で確認することができ、使い勝手が良く、利便性の向上を図ることができる。
【００９１】
図４は第１の実施の形態に関わる端子台ユニットの外観構成を示すイメージ図である。なお、端子台ユニット１は、チャネルＣＨ１〜ＣＨ３の構成を示し、負荷Ｌ１〜Ｌ３に直流電源を供給する。
【００９２】
チャネルＣＨ１〜ＣＨ３は、それぞれ電圧値および電流値を表示する液晶表示器ＬＣＤ、負荷電流が正常なことを表示する青色発光ダイオードＬＥＤ（Ｂ）、負荷電流が異常なことを表示する赤色発光ダイオードＬＥＤ（Ｒ）、各種データを設定し、データを選択するための設定／選択つまみＶＲを備える。
【００９３】
スピーカＳPは、チャネルＣＨ１〜ＣＨ３に共通して警報音を発生する。また、各種データの設定は、パソコン接続コネクタＣＮを設けて外部パーソナルコンピュータから実行するように構成してもよい。
【００９４】
次に、端子台ユニットの制御方法について説明する。図５はこの発明に係る端子台ユニットの制御方法の一実施の形態動作フロー図である。なお、動作フローは、図２を参照して説明する。
【００９５】
図５において、ステップＳ１では、直流電源を設定したタイミングで接続する。なお、ステップＳ１の動作は、シーケンス手段４、制御手段３およびスイッチング手段７が実行する。
【００９６】
ステップＳ１Ａでは、電流値及び電圧値を検出する。尚、ステップＳ１Ａの動作は、電流検出手段５及び電圧検出手段６が実行する。
【００９７】
ステップＳ２では、電流値および電圧値を表示する。なお、ステップＳ２の動作は、電流検出手段５、電圧検出手段６、制御手段３および表示手段８が実行する。
【００９８】
ステップＳ３では、電流値が第１設定値を越えたか否かを判定し、第１設定値を越えた場合にはステップＳ４に移行する。一方、第１設定値を越えない場合には現在の電流値及び電圧値を検出すべく、ステップＳ１Ａに移行する。なお、ステップＳ３の動作は、制御手段３が実行する。
【００９９】
ステップＳ４では、過電流を通報する。なお、ステップＳ４の動作は、制御手段３および通報手段９が実行する。
【０１００】
ステップＳ５では、電流値が第２設定値を越えたか否かを判定し、第２設定値を越えた場合にはステップＳ６に移行する。一方、第２設定値を越えない場合には現在の電流値及び電圧値を検出すべく、ステップＳ１Ａに移行する。なお、ステップＳ５の動作は、制御手段３が実行する。
【０１０１】
ステップＳ６では、電源を切断する。なお、ステップＳ６の動作は、制御手段３およびスイッチング手段７が実行する。
【０１０２】
このように、この発明に係る端子台ユニットの制御方法は、直流電源を設定したタイミングで接続するステップＳ１と、電流値及び電圧値を検出するステップＳ１Ａと、電流値および電圧値を表示するステップＳ２と、電流値が第１設定値を越えたか否かを判定するステップＳ３と、第１設定値を越えた場合に、過電流の通報を実行するステップＳ４と、電流値が第２設定値を越えたか否かを判定するステップＳ５と、第２設定値を越えた場合に、電源を切断するステップＳ６とを備えたので、負荷に過電流が流れたことを通知し、過電流が増加すると直流電源を切断することができ、ユニットの信頼性を向上させることができる。
【０１０３】
（実施の形態２）
次に第２の実施の形態を示す電源分配システムについて説明する。図６は第２の実施の形態を示す電源分配システム内部の概略構成を示すブロック図である。
【０１０４】
図６に示す電源分配システム２０は、直流電力を供給する直流電源装置ＰＳと、この直流電源装置ＰＳと接続し、この直流電源装置ＰＳからの直流電力を複数の負荷Ｌ１〜Ｌｎに分配供給する端子台ユニット１Ａとで構成している。
【０１０５】
端子台ユニット１Ａは、直流電源装置ＰＳからの直流電力を供給する入力端子Ｉ１、Ｉ２と、この入力端子Ｉ１，Ｉ２を通じて直流電力を各負荷Ｌ（Ｌ１〜Ｌｎ）に分岐出力する複数の出力端子Ａ１、Ｂ１〜Ａｎ，Ｂｎと、この端子台ユニット１Ａ全体を制御する端子台制御回路３０とを有している。尚、説明の便宜上、端子台ユニット１Ａの出力端子Ａ１，Ｂ１〜Ａ３，Ｂ３の３組として説明する。
【０１０６】
尚、出力端子Ａ，Ｂ（Ａ１，Ｂ１〜Ａ３，Ｂ３）毎に負荷Ｌ（Ｌ１〜Ｌ３）と接続することで、入力端子Ｉ１，Ｉ２及び出力端子Ａ，Ｂ（Ａ１，Ｂ１〜Ａ３，Ｂ３）間でＣＨブロックＸ（Ｘ１〜Ｘ３）を構成し、例えば入力端子Ｉ１，Ｉ２及び出力端子Ａ１，Ｂ１間でＣＨブロックＸ１を構成し、例えば入力端子Ｉ１，Ｉ２及び出力端子Ａ３，Ｂ３間でＣＨブロックＸ３を構成する。
【０１０７】
図７は同端子台ユニット１Ａ内の端子台制御回路３０内部の概略構成を示すブロック図、図８は同端子台ユニット１Ａの外観構成を示すイメージ図である。
【０１０８】
図７に示す端子台制御回路３０は、出力端子Ａ，Ｂ（Ａ１，Ｂ１〜Ａ３，Ｂ３）毎のＣＨブロックＸ（Ｘ１〜Ｘ３）と、端子台ユニット１Ａの周囲温度を検出する周囲温度センサ部３１と、各種情報を記憶する記憶部３２と、各種情報を表示する表示部３３と、各種情報を通報出力する通報部３４と、記憶部３２の記憶内容を変更設定する設定部３５と、この端子台制御回路３０全体を制御する制御部３６とを有している。尚、端子台制御回路３０は、複数のＣＨブロックＸ１〜Ｘ３を収容することになるが、説明の便宜上、ＣＨブロックＸ１の構成は他のＣＨブロックＸ２及びＸ３の構成と同一になることから、同一符号を付すことで、その重複する構成及び動作の説明については省略する。
【０１０９】
表示部３３は、図８に示すＬＣＤ表示部３３Ａに相当し、後述するＣＨブロック毎の過電流発生、過電圧発生、不足電圧発生、現在電流値や現在電圧値等を表示すると共に、端子台ユニット１Ａの交換時期到来、周囲温度の異常等の各種情報を表示するものである。
【０１１０】
通報部３４は、図８に示すスピーカ３４Ａ等に相当し、後述するＣＨブロック毎の過電流発生、過電圧発生及び不足電圧発生等を警報出力すると共に、端子台ユニット１Ａの交換時期到来、周囲温度の異常等の各種情報を警報出力するものである。
【０１１１】
設定部３５は、図８に示す操作部３５Ａ及び、ＰＣ用接続コネクタ３５Ｂに接続するＰＣ（図示せず）に相当し、記憶部３２の記憶内容を設定変更可能とするものである。
【０１１２】
ＣＨブロックＸ１は、入力端子Ｉ１及び出力端子Ａ１間をプラス側ライン、入力端子Ｉ２及び出力端子Ｂ１間をマイナス側ラインとし、入力端子Ｉ１，Ｉ２及び出力端子Ａ１，Ｂ１間を接続又は切断するスイッチ部４１と、入力端子Ｉ１，Ｉ２及び出力端子Ａ１，Ｂ１間の電流を検出する電流検出部４２と、入力端子Ｉ１，Ｉ２及び出力端子Ａ１，Ｂ１間の電圧を検出する電圧検出部４３とを有している。
【０１１３】
スイッチ部４１は、プラス側ライン及びマイナス側ライン両方に、例えばＭＯＳＦＥＴ等のスイッチ素子４１Ａを配置することで構成する。尚、スイッチ部４１は、リレー装置等で構成するようにしても良い。
【０１１４】
記憶部３２は、例えば端末台ユニット１Ａの周囲温度の異常を判断するための温度に相当する第１周囲温度と、例えば交換時期を判断するための積算稼働時間に相当する第１積算稼働時間と、入力端子Ｉ１，Ｉ２及び出力端子Ａ１，Ｂ１間の過電流発生の有無を判断するための電流値に相当する第１電流値と、入力端子Ｉ１，Ｉ２及び出力端子Ａ１，Ｂ１間のスイッチ部４１の接続切断動作を起動するための電流値に相当する第２電流値と、入力端子Ｉ１，Ｉ２及び出力端子Ａ１，Ｂ１間の過電圧発生の有無を判断するための電圧値に相当する第１電圧値と、入力端子Ｉ１，Ｉ２及び出力端子Ａ１，Ｂ１間のスイッチ部４１の接続切断動作を起動するための電圧値に相当する第２電圧値と、入力端子Ｉ１，Ｉ２及び出力端子Ａ１，Ｂ１間の不足電圧発生の有無を判断するための電圧値に相当する不足電圧値等とを設定記憶している。尚、第１電流値、第２電流値、第１電圧値及び第２電圧値はＣＨブロックＸ（Ｘ１〜Ｘ３）毎に設定記憶するものである。
【０１１５】
端末台ユニット１Ａのユーザは、設定部３５を通じて、記憶部３２に記憶中の第１周囲温度、第１積算稼働時間、第１電流値、第２電流値、第１電圧値、第２電圧値及び不足電圧値等を設定変更可能にしている。
【０１１６】
制御部３６は、電流検出部４２にて検出した現在の電流値が記憶部３２に記憶中の第１電流値を超えたか否かを判定する第１電流値判定部５１と、電流検出部４２にて検出した現在の電流値が記憶部３２に記憶中の第２電流値を超えたか否かを判定する第２電流値判定部５２と、電圧検出部４３にて検出した現在の電圧値が記憶部３２に記憶中の第１電圧値を超えたか否かを判定する第１電圧値判定部５３と、電圧検出部４３にて検出した現在の電圧値が記憶部３２に記憶中の第２電圧値を超えたか否かを判定する第２電圧値判定部５４と、電圧検出部４３にて検出した現在の電圧値が記憶部３２に記憶中の不足電圧値未満であるか否かを判定する不足電圧値判定部５５と、周囲温度センサ部３１にて検出した現在の周囲温度が第１周囲温度を超えたか否かを判定する周囲温度判定部５６と、端末台ユニット１Ａの現在の積算稼働時間を計測する稼働時間計測部５７と、稼働時間計測部５７にて計測した現在の積算稼働時間が記憶部３２に記憶中の第１積算稼働時間を経過したか否かを判定する積算稼働時間判定部５８と、スイッチ部４１を駆動制御するスイッチ制御部５９と、通報部３４を駆動制御する通報制御部６０と、表示部３３を表示制御する表示制御部６１とを有している。
【０１１７】
通報制御部６０は、第１電流値判定部５１にてＣＨブロックＸ１の現在の電流値が第１電流値を超えたと判定されると、入力端子Ｉ１，Ｉ２及び出力端子Ａ１，Ｂ１間に過電流が発生したものと判断し、過電流発生に関わる通報信号を通報出力すべく、通報部３４を駆動制御するものである。また、同様に、表示制御部６１では、過電流発生を表示出力すべく、表示部３３を表示制御するものである。
【０１１８】
また、通報制御部６０は、第１電圧値判定部５３にてＣＨブロックＸ１の現在の電圧値が第１電圧値を超えたと判定されると、入力端子Ｉ１，Ｉ２及び出力端子Ａ１，Ｂ１間に過電圧が発生したものと判断し、過電圧発生に関わる通報信号を通報出力すべく、通報部３４を駆動制御するものである。同様に表示制御部６１は、過電圧発生を表示出力すべく、表示部３３を表示制御するものである。
【０１１９】
また、通報制御部６０は、不足電圧値判定部５５にてＣＨブロックＸ１の現在の電圧値が不足電圧値未満であると判定されると、入力端子Ｉ１，Ｉ２及び出力端子Ａ１，Ｂ１間の電圧値が不足電圧である旨の通報信号を通報出力すべく、通報部３４を駆動制御するものである。同様に表示制御部６１は、不足電圧発生を表示出力すべく、表示部３３を表示制御するものである。
【０１２０】
また、スイッチ制御部５９は、第２電流値判定部５２にてＣＨブロックＸ１の現在の電流値が第２電流値を超えたと判定されると、入力端子Ｉ１，Ｉ２及び出力端子Ａ１，Ｂ１間の接続を切断するものと判断し、入力端子Ｉ１，Ｉ２及び出力端子Ａ１，Ｂ１間に配置したスイッチ部４１の切断動作を実行すべく、スイッチ部４１を駆動制御すると共に、第２電圧値判定部５４にてＣＨブロックＸ１の現在の電圧値が第２電圧値を超えたと判定されると、入力端子Ｉ１，Ｉ２及び出力端子Ａ１，Ｂ１間を切断するものと判断し、入力端子Ｉ１，Ｉ２及び出力端子Ａ１，Ｂ１間に配置したスイッチ部４１の切断動作を実行すべく、スイッチ部４１を駆動制御するものである。
【０１２１】
また、制御部３６は、電流検出部４２にて検出した現在の電流値及び電圧値検出部４３にて検出した現在の電圧値を、表示制御部６１を通じて表示部３３にリアルタイム表示するものである。
【０１２２】
尚、端子台ユニット１Ａの交換時期は、端子台ユニット１Ａの負荷率及び周囲温度変化の影響が大である。図９は第２の実施の形態に関わる端子台ユニット１Ａの交換時期の関係を示す説明図、図９（ａ）は寿命期待時間及び周囲温度の関係を示す説明図、図９（ｂ）は寿命期待時間及び負荷率の関係を示す説明図である。
【０１２３】
アレニウスの法則から明らかなように、図９（ａ）に示すように、例えば端子台ユニット１Ａの周囲温度が１０℃高くなると、同端子台ユニット１Ａの寿命期待時間は半減、周囲温度が１０℃低くなると、同端子台ユニット１Ａの寿命期待時間は２倍増えることになる。例えば周囲温度が４０℃の一定とし、図９（ｂ）に示すように端子台ユニット１Ａの負荷率が高くなると、寿命期待時間は短くなり、負荷率が低くなると、寿命期待時間も長くなる。
【０１２４】
端子台ユニット１Ａの負荷率及び周囲温度は端子台ユニット１Ａの実際の交換時期（電源寿命時間）を予測する上で大きな目安となる。そこで、本実施の形態においては端子台ユニット１Ａの周囲温度変化と、端子台ユニット１Ａの周囲温度及び負荷率に対応した期待寿命時間（稼働時間）とに着目し、周囲温度センサ部３１及び周囲温度判定部５６、稼働時間計測部５７及び積算稼働時間判定部５８を設けた。
【０１２５】
積算稼働時間判定部５８は、現在の積算稼働時間が交換時期に相当する第１積算稼働時間を超えたか否かを判定するが、第１積算稼働時間は、図９（ｂ）に示す負荷率及び周囲温度に対応した寿命期待時間を算出し、この算出した寿命期待時間に基づき、自動設定若しくはユーザ設定するものである。
【０１２６】
また、通報制御部６０は、積算稼働時間判定部５８にて現在の積算稼働時間が交換時期に相当する第１積算稼働時間を超えたと判定されると、例えば交換時期到来の通報信号を通報出力すべく、通報部３４を駆動制御するものである。同様に表示制御部６１は、交換時期到来を表示出力すべく、表示部３３を表示制御するものである。
【０１２７】
さらに、通報制御部６０は、周囲温度判定部５６にて現在の周囲温度が第１周囲温度を超えたと判定されると、周囲温度が異常であると判断し、周囲温度異常の通報信号を通報出力すべく、通報部３４を駆動制御するものである。同様に表示制御部６１は、周囲温度異常を表示出力すべく、表示部３３を表示制御するものである。
【０１２８】
尚、本願請求項７記載の電源装置は直流電源装置ＰＳ、電源供給端子は出力端子Ａ１，Ｂ１〜Ａｎ，Ｂｎ、電流検出手段は電流検出部４２、スイッチ手段はスイッチ部４１、制御手段は制御部３６、本願請求項８記載の記憶手段は記憶部３２、第１電流値判定手段は第１電流値判定部５１、第２電流値判定手段は第２電流値判定部５２、通報出力手段は通報制御部６０及び通報部３４、スイッチ制御手段はスイッチ制御部５９、本願請求項１１記載の積算稼働時間監視手段は稼働時間計測部５７、積算稼働時間判定手段は積算稼働時間判定部５８、本願請求項１２記載の周囲温度検出手段は周囲温度センサ部３１、周囲温度判定手段は周囲温度判定部５６、本願請求項１３記載の電圧検出手段は電圧検出部４３、第１電圧値判定手段は第１電圧値判定部５３、第２電圧値判定手段は第２電圧値判定部５４、本願請求項１４記載の設定変更手段は設定部３５、本願請求項１５記載の電流値出力手段は制御部３６、表示手段は表示部３３に相当するものである。
【０１２９】
次に第２の実施の形態を示す電源分配システム２０の動作について説明する。図１０は電流・電圧用異常監視処理に関わる端末台制御回路３０内部の制御部３６の処理動作を示すフロー図である。
【０１３０】
図１０に示す電流・電圧用異常監視処理は、ＣＨブロックＸ（Ｘ１〜Ｘ３）単位で現在の電流値及び電圧値を監視し、この監視結果に基づき、例えば過電流発生、過電圧発生や不足電圧発生等の異常を通報出力し、場合に応じて入力端子Ｉ１，Ｉ２及び出力端子Ａ１，Ｂ１間の接続を切断するものである。
【０１３１】
図１０において制御部３６は、例えばＣＨブロックＸ１内の電流検出部４２及び電圧検出部４３を通じて入力端子Ｉ１，Ｉ２及び出力端子Ａ１，Ｂ１間のＣＨブロックＸ１の現在の電流値及び電圧値を検出すると（ステップＳ１１）、表示制御部６１を通じて現在の電流値及び電圧値を表示部３３にリアルタイム表示する（ステップＳ１２）。尚、端子台ユニット１Ａのユーザは、表示部３３に表示中の電流値及び電圧値を見ることでＣＨブロックＸ１の現在の運転状況を確認することができる。
【０１３２】
制御部３６は、第１電流値判定部５１にてＣＨブロックＸ１の現在の電流値が第１電流値を超えたか否かを判定する（ステップＳ１３）。
【０１３３】
制御部３６は、第１電流値判定部５１にて現在の電流値が第１電流値を超えたと判定されると、入力端子Ｉ１，Ｉ２及び出力端子Ａ１，Ｂ１間に過電流が発生したものと判断し、通報制御部６０を通じて過電流発生の通報信号を通報出力すべく、通報部３４を駆動制御する（ステップＳ１４）。尚、端子台ユニット１Ａのユーザは、通報信号の通報出力に基づき、ＣＨブロックＸ１での過電流の発生を認識することができる。
【０１３４】
さらに、制御部３６は、過電流発生を通報した後、第２電流値判定部５２にてＣＨブロックＸ１の現在の電流値が第２電流値を超えたか否かを判定する（ステップＳ１５）。
【０１３５】
制御部３６は、第２電流値判定部５２にて現在の電流値が第２電流値を超えたと判定されると、入力端子Ｉ１，Ｉ２及び出力端子Ａ１，Ｂ１間の接続を切断すべく、スイッチ部４１を駆動制御することで（ステップＳ１６）、この処理動作を終了する。尚、スイッチ部４１は、スイッチ素子４１Ａを駆動制御することで、入力端子Ｉ１，Ｉ２及び出力端子Ａ１，Ｂ１間の接続を切断し、ＣＨブロックＸ１の過電流から負荷Ｌ１を保護することができる。
【０１３６】
また、制御部３６は、ステップＳ１５にて現在の電流値が第２電流値を超えたのでなければ、ＣＨブロックＸ１の過電流発生の通報出力を継続したまま、この処理動作を終了する。
【０１３７】
また、制御部３６は、ステップＳ１３にて現在の電流値が第１電流値を超えたのでなければ、第１電圧値判定部５３にてＣＨブロックＸ１の現在の電圧値が第１電圧値を超えたか否かを判定する（ステップＳ１７）。
【０１３８】
制御部３６は、現在の電圧値が第１電圧値を超えたと判定されると、入力端子Ｉ１，Ｉ２及び出力端子Ａ１，Ｂ１間で過電圧が発生したものと判断し、通報制御部６０を通じてＣＨブロックＸ１での過電圧発生の通報信号を通報出力すべく、通報部３４を駆動制御する（ステップＳ１８）。尚、端子台ユニット１Ａのユーザは、通報信号の通報出力に基づき、ＣＨブロックＸ１での過電圧の発生を認識することができる。
【０１３９】
制御部３６は、ＣＨブロックＸ１での過電圧発生を通報した後、第２電圧値判定部５４にてＣＨブロックＸ１の現在の電圧値が第２電圧値を超えたか否かを判定する（ステップＳ１９）。
【０１４０】
制御部３６は、現在の電圧値が第２電圧値を超えたと判定されると、入力端子Ｉ１，Ｉ２及び出力端子Ａ１，Ｂ１間の接続を切断すべく、ステップＳ１６に移行する。尚、スイッチ部４１は、スイッチ素子４１Ａを駆動制御することで、入力端子Ｉ１，Ｉ２及び出力端子Ａ１，Ｂ１間の接続を切断し、ＣＨブロックＸ１の過電圧から負荷Ｌ１を保護することができる。
【０１４１】
また、制御部３６は、ステップＳ１９にて現在の電圧値が第２電圧値を超えたのでなければ、過電圧発生の通報を継続したまま、この処理動作を終了する。
【０１４２】
また、制御部３６は、ステップＳ１７にて現在の電圧値が第１電圧値を超えたのでなければ、不足電圧値判定部５５にてＣＨブロックＸ１の現在の電圧値が不足電圧値未満であるか否かを判定する（ステップＳ２０）。
【０１４３】
制御部３６は、現在の電圧値が不足電圧値未満であると判定されると、入力端子Ｉ１，Ｉ２及び出力端子Ａ１，Ｂ１間の不足電圧が発生したものと判断し、通報制御部６０を通じて不足電圧発生の通報信号を通報出力すべく、通報部３４を駆動制御することで（ステップＳ２１）、この処理動作を終了する。尚、端子台ユニット１Ａのユーザは、通報信号の通報出力に基づき、不足電圧の発生を認識することができる。
【０１４４】
制御部３６は、現在の電圧値が不足電圧値未満でないと判定されると、ＣＨブロックＸ１内の入力端子Ｉ１，Ｉ２及び出力端子Ａ１，Ｂ１間が正常運転中であると判断し、この処理動作を終了する。
【０１４５】
図１０に示す電流・電圧用異常監視処理によれば、ＣＨブロックＸ（Ｘ１〜Ｘ３）単位で実行し、現在の電流値が第１電流値を超えたと判定されると、過電流の発生を通報出力すると共に、現在の電圧値が第２電圧値を超えたと判定されると、過電圧の発生を通報出力すると共に、現在の電圧値が不足電圧値未満であると判定されると、不足電圧の発生を通報出力するようにしたので、端子台ユニット１Ａのユーザは、通報出力に基づき、ＣＨブロック単位で、例えば過電流発生、過電圧発生及び不足電圧の発生等を認識することができる。
【０１４６】
また、電流・電圧用異常監視処理によれば、現在の電流値が第２電流値を超えたと判定されると、入力端子Ｉ１，Ｉ２及び出力端子Ａ１，Ｂ１間の接続を切断すべく、スイッチ部４１を駆動制御すると共に、現在の電圧値が第２電圧値を超えたと判定されると、入力端子Ｉ１，Ｉ２及び出力端子Ａ１，Ｂ１間の接続を切断すべく、スイッチ部４１を駆動制御するようにしたので、例えば過電流や過電圧等の異常状況から負荷Ｌ１を保護することができる。
【０１４７】
図１１は稼働時間・周囲温度監視処理に関わる端子台制御回路３０内部の制御部３６の処理動作を示すフロー図である。
【０１４８】
図１１に示す稼働時間・周囲温度監視処理は、ＣＨブロックＸ（Ｘ１〜Ｘｎ）単位ではなく、端子台ユニット１Ａ単位で積算稼働時間及び周囲温度を監視し、この監視結果に基づき、例えば交換時期の到来や周囲温度の異常等を通報出力する処理である。
【０１４９】
図１１において制御部３６は、積算稼働時間計測部５７を通じて現在の積算稼働時間を検出すると（ステップＳ３１）、積算稼働時間判定部５８にて現在の積算稼働時間が第１積算稼働時間を超えたか否かを判定する（ステップＳ３２）。
【０１５０】
制御部３６は、現在の積算稼働時間が第１積算稼働時間を超えたと判定されると、端子台ユニット１Ａの交換時期であると判断し、通報制御部６０を通じて交換時期の通報信号を通報出力すべく、通報部３４を駆動制御することで（ステップＳ３３）、この処理動作を終了する。尚、端子台ユニット１Ａのユーザは、通報信号の通報出力に基づき、端子台ユニット１Ａの交換時期到来を認識することができる。
【０１５１】
制御部３６は、ステップＳ３２にて現在の積算稼働時間が第１積算稼働時間を超えていないと判定されると、周囲温度センサ部３１を通じて現在の端子台ユニット１Ａの周囲温度を検出し（ステップＳ３４）、周囲温度判定部５６にて現在の周囲温度が第１周囲温度を超えたか否かを判定する（ステップＳ３５）。
【０１５２】
制御部３６は、現在の周囲温度が第１周囲温度を超えたと判定されると、端子台ユニット１Ａの周囲温度が異常であると判断し、通報制御部６０を通じて周囲温度異常の通報信号を通報出力すべく、通報部３４を駆動制御することで（ステップＳ３６）、この処理動作を終了する。尚、端子台ユニット１Ａのユーザは、通報信号の通報出力に基づき、端子台ユニット１Ａの周囲温度が異常であることを認識することができる。
【０１５３】
制御部３６は、現在の周囲温度が第１周囲温度を超えたのでなければ、端子台ユニット１Ａは正常運転中であると判断し、この処理動作を終了する。
【０１５４】
図１１に示す稼働時間・周囲温度監視処理によれば、端子台ユニット１Ａの積算稼働時間を監視し、現在の積算稼働時間が第１積算稼働時間を超えたと判定されると、端子台ユニット１Ａの交換時期が到来したことを通報出力すると共に、端子台ユニット１Ａの周囲温度を監視し、現在の周囲温度が第１周囲温度を超えたと判定されると、端子台ユニット１Ａの周囲温度異常を通報出力するようにしたので、端子台ユニット１Ａのユーザは、通報出力に基づき、端子台ユニット１Ａの交換時期及び周囲温度の異常を認識することができる。
【０１５５】
第２の実施の形態によれば、ＣＨブロックＸ（Ｘ１〜Ｘｎ）単位で実行し、現在の電流値が第１電流値を超えたと判定されると、過電流の発生を通報出力すると共に、現在の電圧値が第２電圧値を超えたと判定されると、過電圧の発生を通報出力すると共に、現在の電圧値が不足電圧値未満であると判定されると、不足電圧の発生を通報出力するようにしたので、端子台ユニット１Ａのユーザは、通報出力に基づき、例えば過電流発生、過電圧発生及び不足電圧の発生等を認識することができる。
【０１５６】
また、第２の実施の形態によれば、現在の電流値が第２電流値を超えたと判定されると、入力端子Ｉ１，Ｉ２及び出力端子Ａ，Ｂ（Ａ１，Ｂ１〜Ａｎ，Ｂｎ）間の接続を切断すべく、スイッチ部４１を駆動制御すると共に、現在の電圧値が第２電圧値を超えたと判定されると、入力端子Ｉ１，Ｉ２及び出力端子Ａ，Ｂ（Ａ１，Ｂ１〜Ａｎ，Ｂｎ）間の接続を切断すべく、スイッチ部４１を駆動制御するようにしたので、例えば過電流や過電圧等の異常から負荷Ｌ１〜Ｌｎを保護すると共に、その安全性を確保することができる。
【０１５７】
また、第２の実施の形態によれば、端子台ユニット１Ａの積算稼働時間を監視し、現在の積算稼働時間が第１積算稼働時間を超えたと判定されると、端子台ユニット１Ａの交換時期が到来したことを通報出力すると共に、端子台ユニット１Ａの周囲温度を監視し、現在の周囲温度が第１周囲温度を超えたと判定されると、端子台ユニット１Ａの周囲温度異常を通報出力するようにしたので、端子台ユニット１Ａのユーザは、通報出力に基づき、端子台ユニット１Ａの交換時期及び周囲温度の異常を認識することができる。
【０１５８】
尚、上記第２の実施の形態においては、現在の電流値が第１電流値や第２電流値を超えたか否かを判定するステップＳ１３及びステップＳ１５の判断処理（現在の電圧値が第１電圧値及び第２電圧値を超えたか否かを判定するステップＳ１７及びステップＳ１９の判断処理）があるが、電流値（電圧値）は瞬間的に乱高下する場合も考えられるため、同判断処理を現在の電流値（電圧値）が第１電流値（第１電圧値）や第２電流値（第２電圧値）を所定時間以上継続して超えたと判定された場合にのみ、現在の電流値（電圧値）を第１電流値（第１電圧値）や第２電流値（第２電圧値）を超えたものと判断するようにしても良く、この場合、電流値（電圧値）が乱高下して瞬間的に第１電流値（第１電圧値）若しくは第２電流値（第２電圧値）を超えたことで過電流（過電圧）と判断してしまうような誤動作を確実に防止することで信頼性を損なうことなく安定した電力供給を確保することができる。
【０１５９】
また、上記第２の実施の形態においては、ＣＨブロックＸ１のスイッチ部４１内のスイッチング素子４１Ａを入力端子Ｉ１及び出力端子Ａ１間のマイナス側ライン、及び入力端子Ｉ２及び出力端子Ｂ１間のプラス側ライン両方に夫々配置するようにしたが、マイナス側ライン又はプラス側ラインのどちらか一方にのみスイッチング素子４１Ａを配置するようにしても良く、この場合、スイッチング素子４１Ａの数を減らしながら、同様の効果が得られることはいうまでもない。
【０１６０】
また、上記第２の実施の形態においては、端子台ユニット１Ａの周囲温度が第１周囲温度を超えたと判定されると、周囲温度の異常を通報出力するようにしたが、同通報出力に基づき、例えば端子台ユニット１Ａの周囲温度を下げる冷却ファーン部を駆動制御するようにしても良く、この場合は自動的に端子台ユニット１Ａの周囲温度を下げることができる。
【０１６１】
また、上記第２の実施の形態においては、ＣＨブロックＸ（Ｘ１〜Ｘｎ）単位で現在の電流値及び電圧値を表示部３３にリアルタイムに表示するようにしたが、例えば所定時間単位の電流平均値、ピーク電流値や低電流値を表示部３３に表示するようにしても良く、例えば電流平均値を表示した場合、電流変化による負荷Ｌ１〜Ｌｎの異常をユーザ側で予測することができ、また、ピーク電流値を表示した場合、異常時の原因追求に役立ち、また、低電流値を表示した場合、例えば断線の予測が可能となる。
【０１６２】
また、上記第２の実施の形態においては、単一の直流電源装置ＰＳと単一の端子台ユニット１Ａとを直列に接続する電源分配システム２０を例に挙げて説明したが、例えば単一の直流電源装置ＰＳと複数の端子台ユニット１Ａを並列に接続し、直流電源装置ＰＳから各端子台ユニットに電力を供給する電源分配システムであっても同様の効果が得られることは言うまでもない。
【０１６３】
また、上記第２の実施の形態においては、現在の電流値が第２電流値を超えたと判定されると、又は現在の電圧値が第２電圧値を超えたと判定されると、入力端子Ｉ１，Ｉ２及び出力端子Ａ，Ｂ（Ａ１，Ｂ１〜Ａｎ，Ｂｎ）の接続を切断すべく、スイッチ部４１を駆動制御するようにしたが、例えば設定部３５からの切断操作を検出すると、入力端子Ｉ１，Ｉ２及び出力端子Ａ，Ｂ（Ａ１，Ｂ１〜Ａｎ，Ｂｎ）間の接続を切断すべく、スイッチ部４１を駆動制御するようにしても良く、この場合、端子台ユニット１Ａのユーザの操作で入力端子Ｉ１，Ｉ２及び出力端子Ａ，Ｂ（Ａ１，Ｂ１〜Ａｎ，Ｂｎ）間の接続を切断することができる。
【０１６４】
また、上記第２の実施の形態においては、端子台ユニット１ＡはＣＨブロックＸ単位で単一の負荷Ｌに接続して同負荷Ｌに対して直流電源装置ＰＳからの電力を分岐出力するようにしたが、例えば単一の負荷Ｌ１に対して複数のＣＨブロックの出力端子、例えばＣＨブロックＸ１の出力端子Ａ１，Ｂ１及びＣＨブロックＸ２の出力端子Ａ２，Ｂ２と接続して同負荷Ｌ１に対してＣＨブロックＸ１及びＸ２からの電力を供給するようにしても同様の効果が得られることは言うまでもない。
【０１６５】
また、上記第２の実施の形態においては、ブロックＸ単位で入力端子Ｉ１，Ｉ２及び出力端子Ａ１，Ｂ１（Ａ２，Ｂ２〜Ａｎ，Ｂｎ）間にスイッチ部４１を配置し、制御部３６は、現在の電流値及び電圧値の監視結果に基づき、スイッチ制御部５９を通じてスイッチ部４１を駆動制御することで、入力端子Ｉ１，Ｉ２及び出力端子Ａ１，Ｂ１（Ａ２，Ｂ２〜Ａｎ，Ｂｎ）間の接続を切断するようにしたが、何等かの要因で制御部３６が故障してしまった場合、入力端子Ｉ１，Ｉ２及び出力端子Ａ１，Ｂ１（Ａ２，Ｂ２〜Ａｎ，Ｂｎ）間の接続を切断することができないと言った事態も考えられる。
【０１６６】
（実施の形態３）
そこで、このような事態を対処すべく、第３の実施の形態を示す電源分配システム２０Ａについて説明する。尚、第２の実施の形態を示す電源分配システム２０と同一の構成には同一符号を付すことで、その重複する構成及び動作の説明については省略する。
【０１６７】
図１２は第３の実施の形態に関わる端子台制御回路３０Ａ内部の概略構成を示すブロック図である。
【０１６８】
図１２に示す端子台制御回路３０Ａと図７に示す端子台制御回路３０とが異なるところは、ＣＨブロックＸ１内のスイッチ部４１の後段に配置されたサブスイッチ部８０と、このサブスイッチ部８０を駆動制御するサブ制御部９０とを備えた点にある。
【０１６９】
サブスイッチ部８０は、入力端子Ｉ１，Ｉ２及び出力端子Ａ１，Ｂ１間の電流を検出するサブ電流検出部８１と、入力端子Ｉ１，Ｉ２及び出力端子Ａ１，Ｂ１間の接続を切断するサブスイッチ素子８２及びヒューズ８３とを有している。
【０１７０】
サブ制御部９０は、制御部３６から独立し、サブスイッチ部８０を駆動制御するものであって、サブ電流検出部８１にて入力端子Ｉ１，Ｉ２及び出力端子Ａ１，Ｂ１間の現在の電流値を検出すると、現在の電流値がサブ記憶部９１に記憶中の第３電流値を超えたか否かを判定し、現在の電流値が第３電流値を超えたと判定されると、入力端子Ｉ１，Ｉ２及び出力端子Ａ１，Ｂ１間の接続を切断すべく、サブスイッチ部８０内のサブスイッチ素子８２を駆動制御するものである。尚、サブ記憶部９１に記憶中の第３電流値は、前述した第２電流値以上にすることが望ましく、例えばＣｌａｓｓ２規格を満たした出力電流値４．１６７Ａ（出力電圧が２４Ｖのとき、１００ＶＡ／２４Ｖ＝４．１６７Ａより）にすることが望ましい。
【０１７１】
尚、本願請求項１０記載のサブスイッチ手段はサブスイッチ部８０、サブ記憶手段はサブ記憶部９１、第３電流値判定手段及びサブ制御手段はサブ制御部９０に相当するものである。
【０１７２】
制御部３６が正常に動作中の場合、入力端子Ｉ１，Ｉ２及び出力端子Ａ１，Ｂ１間の現在の電流値が第２電流値を超えると、入力端子Ｉ１，Ｉ２及び出力端子Ａ１，Ｂ１間の接続を切断すべく、スイッチ部４１のスイッチ素子４１Ａを駆動制御することになる。つまり、制御部３６が正常に動作中の場合、制御部３６及びサブ制御部８０双方が独立して現在の電流値の判断処理を実行するものである。
【０１７３】
従って、サブ制御部９０は、制御部３６が何等かの原因で故障したとしても、入力端子Ｉ１，Ｉ２及び出力端子Ａ１，Ｂ１間の現在の電流値が第３電流値を超えたか否かを判定し、現在の電流値が第３電流値を超えた場合、入力端子Ｉ１，Ｉ２及び出力端子Ａ１，Ｂ１間の接続を切断すべく、サブスイッチ部８０内のサブスイッチ素子８２を駆動制御することになる。
【０１７４】
また、制御部３６及びサブ制御部９０が故障したとしても、異常な出力電流が流れると、サブスイッチ素子８２後段のヒューズにて入力端子Ｉ１，Ｉ２及び出力端子Ａ１，Ｂ１間の接続を切断するものである。
【０１７５】
第３実施の形態によれば、制御部３６から独立してサブ制御部９０にて現在の電流値が第３電流値を超えた場合、入力端子Ｉ１，Ｉ２及び出力端子Ａ１，Ｂ１間の接続を切断すべく、サブスイッチ部８０内のサブスイッチ素子８２を駆動制御するようにしたので、制御部３６が故障したとしても、異常な出力電流が負荷に流れ込まないように、安全かつ確実に過電流から負荷を保護することができる。
【０１７６】
第３の実施の形態によれば、サブスイッチ素子８２の後段にヒューズ８３を配置したので、制御部３６及びサブ制御部９０を故障したとしても、異常な出力電流が流れると、ヒューズ８３が切断されるため、異常な出力電流が負荷に流れ込むことはない。
【０１７７】
尚、上記第３の実施の形態においては、現在の電流値が第３電流値を超えたと判定されると、入力端子Ｉ１，Ｉ２及び出力端子Ａ１，Ｂ１間の接続を切断すべく、サブスイッチ素子８２を駆動制御するようにしたが、電流値は瞬間的に乱高下する場合も考えられるため、現在の電流値が第３電流値を所定時間以上継続して超えたと判定された場合にのみ、現在の電流値が第３電流値を超えたものと判断するようにしても良く、この場合、例えば電流値が乱高下して瞬間的に第３電流値を超えたことでサブスイッチ素子８２を駆動制御してしまうような誤動作を確実に防止することで信頼性を損なうことなく安定した電力供給を確保することができる。
【０１７８】
上記第３の実施の形態においては、電流値を監視対象とし、現在の電流値が第３電流値を超えたと判定されると、入力端子Ｉ１，Ｉ２及び出力端子Ａ１，Ｂ１間の接続を切断すべく、サブスイッチ素子８２を駆動制御するようにしたが、電圧値を監視対象とし、現在の電圧値が第２電圧値以上の第３電圧値を超えたか否かを判定し、現在の電圧値が第３電圧値を超えたと判定されると、入力端子Ｉ１，Ｉ２及び出力端子Ａ１，Ｂ１間の接続を切断すべく、サブスイッチ素子８２を駆動制御するようにしても良く、この場合、制御部３６が故障したとしても、異常な出力電圧から負荷Ｌ１を保護することができる。
【０１７９】
また、上記第２の実施の形態及び第３の実施の形態においては、スイッチ素子４１Ａ及びサブスイッチ素子８２としてＭＯＳＦＥＴを例に挙げて説明したが、ＭＯＳＦＥＴのコストを考えると、許容電流には制限があるため、ＣＨブロックＸと接続する単一の負荷Ｌに供給する電流容量にも制限が出てくる。そこで、複数のＣＨブロックＸ経由で単一の負荷Ｌに電流を供給できるようにしても良いことは言うまでもない。
【０１８０】
また、上記第２の実施の形態及び第３の実施の形態においては、図９（ｂ）に示す負荷率及び周囲温度に対応した寿命期待時間を算出し、この算出した寿命期待時間に基づき、積算稼働時間判定部５８の第１積算稼働時間を自動設定若しくはユーザ設定するようにしたが、次に説明するように第１積算稼働時間を算出するようにしても良い。
【０１８１】
第１の算出方法としては、ある周期毎に端子台ユニット１Ａの平均使用温度を演算してメモリデータの更新動作を実行する。具体的にはメモリデータ更新回数（ｎ）、データ更新時の読取温度（Ｔ［ｎ］）及び前回の平均使用温度（Ｔａｖｅ［ｎ−１］）を数式１に当てはめ、現在までの平均使用温度（Ｔａｖｅ［ｎ］）を算出する。
【０１８２】
(数１)
Ｔａｖｅ［ｎ］＝Ｔａｖｅ［ｎ−１］＋（１／ｎ）＊｛Ｔ［ｎ］−Ｔａｖｅ［ｎ−１］｝（数式１）
さらにＴａｖｅ［ｎ］と周囲温度４０℃との差、初期設定時間（４０℃時の製品の期待寿命）Ｌ０及びアレニウムの法則を用いて数式２に当てはめ、交換時期の目安時間（第１積算稼働時間）Ｌ［ｎ］を算出する。
【０１８３】
(数２)
Ｌ［ｎ］＝Ｌ０＊２＾｛（４０−Ｔａｖｅ［ｎ］）／１０｝（数式２）
従って、第１の算出方法によれば、端子台ユニット１Ａの負荷変動は周囲温度変動と比較しても小さいことから、周囲温度のみを考慮して第１積算稼働時間を算出することができる。
【０１８４】
尚、第１の算出方法は、端子台ユニット１Ａの負荷電流が大きく変動しない場合を条件として説明したが、正確な第１積算稼働時間を算出するためには負荷変動も加味する必要がある。
【０１８５】
そこで、第２の算出方法としては、図１３（ａ）に示すように出力電流が変動すると、この変動に応じて内部発熱量も変動することに着目し、例えば初期設定時の出力電流に対して出力電流が増加してΔＴ１の内部発熱量が発生したとすると、数式３に当てはめることで、現在の平均使用温度（Ｔａｖｅ［ｎ］）を算出することができる。
【０１８６】
(数３)
Ｔａｖｅ［ｎ］＝Ｔａｖｅ［ｎ−１］＋（１／ｎ）＊｛Ｔ［ｎ］−Ｔａｖｅ［ｎ−１］＋ΔＴ１｝（数式３）
そして、この現在の平均使用温度（Ｔａｖｅ［ｎ］）を数式２に当てはめることで、交換時期の目安時間（第１積算稼働時間）Ｌ［ｎ］を算出する。
【０１８７】
従って、第２の算出方法によれば、端子台ユニット１Ａの周囲温度変動の他に負荷変動を加味することで、正確な第１積算稼働時間を算出することができる。
【０１８８】
さらに正確に第１積算稼働時間を算出する第３の算出方法としては、端子台ユニット１Ａ内の電解コンデンサに流れるリップル電流Ｉｉも考慮し、図１３（ｂ）に示すように出力電流が変動すると、この変動に応じて電解コンデンサに流れるリップル電流Ｉｉも変動することに着目し、電解コンデンサ固有の電流Ｉ０及び発熱量Ｔ０、初期設定時のリップル電流Ｉｉを数式４に当てはめることで、初期設定時のリップル電流Ｉｉによる発熱量ΔＴｉを算出する。
【０１８９】
(数４)
ΔＴｉ＝（Ｉｉ／Ｉｏ）２＊Ｔ０（数式４）
次に電解コンデンサ固有の電流Ｉ０及び発熱量Ｔ０、現在のリップル電流Ｉを数式５に当てはめることで、現在のリップル電流Ｉによる発熱量ΔＴを算出する。
【０１９０】
(数５)
ΔＴ＝（Ｉ／Ｉｏ）２＊Ｔ０（数式５）
さらに前回のリップル電流による発熱平均値ΔＴａｖｅ［ｎ−１］を数式６に当てはめることで、リップル電流による発熱平均値ΔＴａｖｅ［ｎ］を算出する。
【０１９１】
(数６)
ΔＴａｖｅ［ｎ］＝ΔＴａｖｅ［ｎ−１］＋（１／ｎ）＊｛ΔＴ［ｎ］−ΔＴａｖｅ［ｎ−１］（数式６）
そして、Ｔａｖｅ［ｎ］と周囲温度４０℃との差、初期設定時間（４０℃時の製品の期待寿命）Ｌ０、初期設定時のリップル電流による発熱量ΔＴ、リップル電流による発熱平均値ΔＴａｖｅ［ｎ］及びアレニウムの法則を用いて数式７に当てはめ、交換時期の目安時間（第１積算稼働時間）Ｌ［ｎ］を算出する。
【０１９２】
(数７)
Ｌ［ｎ］＝Ｌ０＊２＾｛（４０−Ｔａｖｅ［ｎ］）／１０｝＊２＾｛（ΔＴｉ−ΔＴａｖｅ［ｎ］）／５｝（数式７）
従って、第３の算出方法によれば、端子台ユニット１Ａの周囲温度変動及び負荷変動の他に電解コンデンサのリップル電流の変動を加味することで、第２の算出方法に比較しても、より正確な第１積算稼働時間を算出することができる。
【０１９３】
尚、上記第１乃至第３の算出方法によれば、交換時期の目安時間となる第１積算稼働時間を算出するようにしたが、この第１積算稼働時間を利用して、第１積算稼働時間から現在までの積算稼働時間を減算することで、交換時期までの残り時間を表示部３３に画面表示するようにしても良いことは言うまでもない。
【産業上の利用可能性】
【０１９４】
本発明の端子台ユニットは、電源供給端子毎に直流電源の接続／切断のタイミング、直流電源を切断する過電流の設定および実行が可能で、電流値／電圧値の表示および過電流の通報ができ、電源装置から供給される直流電源を収容し、複数の負荷に分配して供給するあらゆる端子台ユニットに適用することができる。
【０１９５】
また、本発明の端子台ユニットは、電源供給端子毎に同電源供給端子経由の電源装置及び電源供給端子間の電流を検出し、現在の電流値に基づき、電流情報に関わる通報信号を出力すると共に、電源装置及び電源供給端子間のスイッチ手段の接続切断動作を実行するようにしたので、例えば負荷に過電流が流れたことを通知することができると共に、負荷に過電流が流れたとしても、自動的に電源装置及び電源供給端子間の接続を切断することで安全性を確保することができるため、例えば工場等の様々な生産ラインに使用される端子台ユニットに有用である。
【図面の簡単な説明】
【０１９６】
【図１】本発明の端子台ユニットに関わる第１の実施の形態を示す電源分配システム内部の概略構成を示すブロック図である。
【図２】第１の実施の形態に関わる端子台ユニットの端子台制御回路内部の概略構成を示すブロック図である。
【図３】第１の実施の形態に関わる制御手段の一実施の形態突入電流防止機能イメージ図である。
【図４】第１の実施の形態に関わる端子台ユニットの外観構成を示すイメージ図である。
【図５】第１の実施の形態に関わる端子台ユニットの端子台制御回路内部の処理動作を示すフローチャートである。
【図６】第２の実施の形態を示す電源分配システム内部の概略構成を示すブロック図である。
【図７】第２の実施の形態を示す電源分配システムの端子台制御回路内部の概略構成を示すブロック図である。
【図８】第２の実施の形態に関わる端子台ユニットの外観構成を示すイメージ図である。
【図９】第２の実施の形態に関わる端子台ユニットの交換時期の関係を示す説明図である。（ａ）寿命期待時間及び周囲温度の関係を示す説明図（ｂ）寿命期待時間及び負荷率の関係を示す説明図
【図１０】第２の実施の形態に関わる端子台制御回路の電流・電圧用異常監視処理に関わる制御部の処理動作を示すフローチャートである。
【図１１】第２の実施の形態に関わる端子台制御回路の稼働時間・周囲温度異常監視処理に関わる制御部の処理動作を示すフローチャートである。
【図１２】第３の実施の形態に関わる端子台制御回路内部の概略構成を示すブロック図である。
【図１３】第２の実施の形態及び第３の実施の形態に関わる積算稼働時間判定部の第１積算稼働時間を設定するための概念説明図である。（ａ）第２の算出方法に使用する概念説明図（ｂ）第３の算出方法に使用する概念説明図
【符号の説明】
【０１９７】
１  端子台ユニット
１Ａ  端子台ユニット
２  端子台制御手段
３  制御手段
４  シーケンス手段
５  電流検出手段
６  電圧検出手段
７  スイッチング手段
８  表示手段
９  通報手段
１０  設定手段
１１  記憶手段
３１  周囲温度センサ部（周囲温度検出手段）
３２  記憶部（記憶手段）
３３  表示部（表示手段）
３４  通報部（通報出力手段）
３５  設定部（設定変更手段）
３６  制御部（制御手段、電流値出力手段）
４１  スイッチ部（スイッチ手段）
４２  電流検出部（電流検出手段）
４３  電圧検出部（電圧検出手段）
５１  第１電流値判定部（第１電流値判定手段）
５２  第２電流値判定部（第２電流値判定手段）
５３  第１電圧値判定部（第１電圧値判定手段）
５４  第２電圧値判定部（第２電圧値判定手段）
５６  周囲温度判定部（周囲温度判定手段）
５７  稼働時間計測部（積算稼働時間監視手段）
５８  積算稼働時間判定部（積算稼働時間判定手段）
５９  スイッチ制御部（スイッチ制御手段）
６０  通報制御部（通報出力手段）
ＰＳ  直流電源装置（電源装置）
Ａ１，Ｂ１〜Ａｎ，Ｂｎ  出力端子（電源供給端子）
【図１】
2005295791.tif 000003
【図２】
2005295791.tif 000004
【図３】
2005295791.tif 000005
【図４】
2005295791.tif 000006
【図５】
2005295791.tif 000007
【図６】
2005295791.tif 000008
【図７】
2005295791.tif 000009
【図８】
2005295791.tif 000010
【図９】
2005295791.tif 000011
【図１０】
2005295791.tif 000012
【図１１】
2005295791.tif 000013
【図１２】
2005295791.tif 000014
【図１３】
2005295791.tif 000015